(57)【要約】【課題】地域に適した周波数帯域で無線通信を行う血糖値管理システム及び血糖値管理方法を提供する。【解決手段】ストリップ１００から血糖値データと地域データを読み取り、前記血糖値データを変調血糖信号に変調して無線送信する血糖測定器１１０と、無線受信した前記変調血糖信号から前記血糖値データを復調し、前記血糖値データを保存するデータ管理装置１２０とで構成され、血糖測定器１１０が前記地域データに基づいて地域に適した周波数帯域を用いてデータ管理装置１２０と無線通信する。【選択図】図１
2009162676.tif 000002
【特許請求の範囲】
【請求項１】
ストリップから血糖値データと地域データを読み取り、前記血糖値データを変調血糖信号に変調して無線送信する血糖測定器と、
無線受信した前記変調血糖信号から前記血糖値データを復調し、前記血糖値データを保存するデータ管理装置とで構成され、
前記血糖測定器が前記地域データに基づいて地域に適した周波数帯域を用いて前記データ管理装置と無線通信する、
ことを特徴とする血糖値管理システム。
【請求項２】
前記血糖測定器が、
前記ストリップが有する地域端子から前記地域データを取得する地域データ取得部と、
前記血糖値データを変調血糖信号に変調して無線送信する血糖測定器送信回路と、
前記血糖測定器を制御する血糖測定器演算処理部とを備え、
前記血糖測定器演算処理部が、前記地域データ取得部が取得した前記地域データに基づいて前記血糖測定器送信回路の送信周波数帯域を変更する
ことを特徴とする請求項１に記載の血糖値管理システム。
【請求項３】
前記データ管理装置が、
前記データ管理装置を制御するデータ管理装置演算処理部と、
前記変調血糖信号を前記血糖値データに復調するデータ管理装置受信回路と、
前記データ管理装置演算処理部が周期的に前記データ管理装置受信回路の受信周波帯域を変更し、前記変調血糖信号の周波数帯域と受信周波数帯域が合致した時、前記データ管理装置受信回路が前記変調血糖信号から前記血糖値データを復調する
ことを特徴とする請求項１に記載の血糖値管理システム。
【請求項４】
前記データ管理装置に、
同期ボタンを備え、
使用者が前記同期ボタンを押した後、前記データ管理装置演算処理部がデータ管理装置受信回路の受信周波数帯域を周期的に変更し、受信周波数帯域を復調に成功した周波数帯域に固定する
ことを特徴とする請求項３に記載の血糖値管理システム。
【請求項５】
前記地域データ取得部に無線受信機を備え、
無線受信機が地域の基地局からの電波を解析して地域を特定し、地域データとする
ことを特徴とする請求項２に記載の血糖値管理システム。
【請求項６】
前記無線受信機が、
ＧＰＳ受信機であり、
前記ＧＰＳ受信機がＧＰＳ衛星からの電波から地域を特定し、地域データとする
ことを特徴とする請求項５に記載の血糖値管理システム。
【請求項７】
前記無線受信機が、
電波時計受信機であり、
前記電波時計受信機が地域の時間を取得し、取得した時間と前記電波時計受信機内の標準時間とを比較することによって、地域データを求める
ことを特徴とする請求項５に記載の血糖値管理システム。
【請求項８】
ストリップから血糖値情報を測定するステップと、
前記ストリップから地域情報を取得するステップと、
前記地域情報から使用する送信周波数帯域を決定するステップと、
前記血糖値情報を前記送信周波数帯域を用いてデータ管理装置へ送信するステップと、
測定器から前記送信周波数帯域で送信された前記血糖値情報を受信するステップと、
前記血糖値情報を保存するステップ、
を含む血糖値管理方法。
【請求項９】
前記データ管理装置は予め定められた複数の受信周波数を一定期間毎に変更して前記測定器が送信する電波を受信可能な前記受信周波数を探索する、
請求項８に記載の血糖値管理方法。
【発明の詳細な説明】
【技術分野】
【０００１】
本発明は血糖測定器が測定した血糖値データを、無線通信によりデータ管理装置に送信する血糖値管理システム及び血糖値管理方法に関するものである。
【背景技術】
【０００２】
糖尿病患者は血糖値を測定し、インスリンを注射することにより、血糖値をコントロールする必要がある。血糖値をコントロールできないと、低血糖や高血糖が起こりやすくなり、これらの症状がひどい場合には昏睡状態になることもある。糖尿病患者は運動療法や食事療法などの治療を行う必要がある。また、糖尿病患者はデータ管理装置を用いてそれら治療の効果の確認や血糖値データの管理を行う。
【０００３】
糖尿病患者が血糖値をコントロールするために血糖測定器とデータ管理装置が使用されているが、使用者は一日に複数回の血糖値測定を行い、その度にデータ管理装置への血糖値入力作業を手作業で行う必要があるので、使い勝手に問題があった。そのため現在では、データ管理装置への入力作業を簡便化するために、近距離無線通信を使用して、血糖測定器で測定した血糖値データをデータ管理装置へ送信し、データ管理装置への入力作業を簡便化した機能を有する血糖測定器とデータ管理装置が開示されている（例えば、特許文献１参照）。これらの近距離無線通信ではＩＳＭバンドと呼ばれる近距離無線の周波数帯域を使用している。このＩＳＭバンドは免許不要で利用できるよう産業、科学及び医療用に開放されている周波数帯域であり、これらの頭文字（Ｉｎｄｕｓｔｒｙ、Ｓｃｉｅｎｃｅ、Ｍｅｄｉｃａｌ）を取ったものである。
【０００４】
図６に従来のデータ管理装置システムにおいて、血糖測定器６００とデータ管理装置６０４が通信している状態を示す。使用者はストリップ６０１を血糖測定器６００に挿入し、使用者の血液をストリップ６０１の先端に点着させる。血糖測定器６００は血糖値を測定し、血糖測定器表示部６０２に血糖値を表示し使用者に知らせると共に、予め設定された固定の周波数帯域の無線電波６０３を使用してデータ管理装置６０４に血糖値を送信する。データ管理装置６０４は血糖値を受信し、インスリンを使用者の体内に注入し血糖値をコントロールする。ここで、固定の周波数帯域には地域のＩＳＭバンド等、医療用に利用できる周波数帯域の中から使用者の地域に応じた周波数帯域が設定されている。
【特許文献１】特開２００２−２５１４６１号公報
【発明の開示】
【発明が解決しようとする課題】
【０００５】
しかしながら、前記従来の構成では、周波数帯域はＩＳＭバンド等、医療用に利用できる周波数帯域の中から地域に応じた周波数帯域が設定されている。そのため使用者が血糖値管理システムを指定された周波数帯域が異なる地域で使用した場合、他の無線機と混信を起こしてしまうという課題があった。
【０００６】
本発明は、前記従来の課題を解決するもので、指定された周波数帯域の異なる地域で血糖値管理システムを使用する際に、地域に適した周波数帯域に切り替えて無線通信を行うことが出来る血糖値管理システム及び血糖値管理方法を提供することを目的とする。
【課題を解決するための手段】
【０００７】
前記従来の課題を解決するために、本発明の血糖値管理システムは、ストリップから血糖値データと地域データを読み取り、前記血糖値データを変調血糖信号に変調して無線送信する血糖測定器と、無線受信した前記変調血糖信号から前記血糖値データを復調し、前記血糖値データを保存するデータ管理装置とで構成され、前記血糖測定器が前記地域データに基づいて地域に適した周波数帯域を用いて前記データ管理装置と無線通信する、ことを特徴とするものである。
【０００８】
さらに本発明の血糖値管理方法において、ストリップから血糖値情報を測定するステップと、前記ストリップから地域情報を取得するステップと、前記地域情報から使用する送信周波数帯域を決定するステップと、前記血糖値情報を前記送信周波数帯域を用いてデータ管理装置へ送信するステップと、測定器から前記送信周波数帯域で送信された前記血糖値情報を受信するステップと、前記血糖値情報を保存するステップ、を含むことを特徴とするものである。
【発明の効果】
【０００９】
本発明の血糖値管理システム及び血糖値管理方法によれば、血糖測定器がストリップから地域データを取得し、血糖測定器が地域データに応じた周波数帯域でデータ管理装置と無線通信を行うことによって、地域に適した周波数帯域で血糖測定器とデータ管理装置間の無線通信を行うことができる。
【発明を実施するための最良の形態】
【００１０】
以下に、本発明の血糖値管理システム及び血糖値管理方法の実施の形態を図面とともに詳細に説明する。
【００１１】
（実施の形態１）
以下に、本発明の第１の実施の形態について、図１から図５を用いて説明する。図１は、本発明の第１の実施の形態における血糖値管理システムの構成図を示す。図１において、１００は点着した血液の血糖値と使用地域を電気パラメータに変換するストリップである。ストリップ１００には使用地域を示す電極が用意されており、使用者は使用する地域でストリップ１００を購入する。１１０はストリップ１００の電気パラメータから血糖値データと地域データを取得し、地域データに応じた周波数帯域の無線電波で血糖値データを送信する血糖測定器である。１２０は血糖測定器１１０から血糖値データを受信して保存し表示するデータ管理装置である。データ管理装置１２０を用いて血糖値データの管理を行う。本実施の形態１において、血糖値管理システムはストリップ１００、血糖測定器１１０、そして、データ管理装置１２０で構成されている。
【００１２】
図１の血糖測定器１１０において、１１６は血糖測定器１１０内部を制御する血糖測定器演算処理部である。１１１はストリップ１００を挿入する挿入部である。１１２はストリップ１００における使用地域を示す電気パラメータをデジタル信号に変換する地域データ取得部である。１１３はストリップ１００における血糖値を示す電気パラメータを電圧に変換する血糖測定部である。１１４は血糖値を記憶する血糖測定器メモリである。１１５は血糖値を表示する血糖測定器表示部である。１１７は設定されたデータを変調信号に変調して送信する血糖測定器送信回路である。１１８は受信した変調信号からデータを復調する血糖測定器受信回路である。１１９は血糖測定器と空中との間で変調信号を送受する血糖測定器アンテナである。
【００１３】
図１のデータ管理装置１２０において、１２１はデータ管理装置と空中との間で変調信号を送受するデータ管理装置アンテナである。１２２は受信した変調信号からデータを復調するデータ管理装置受信回路である。１２３は設定されたデータを変調信号に変調して送信するデータ管理装置送信回路である。１２５は血糖測定器１１０から受信した血糖値データを表示するデータ管理装置表示部である。１２６は血糖値データを保存するためのデータ管理装置メモリである。１２４はデータ管理装置１２０内部を制御するデータ管理装置演算処理部である。
【００１４】
図１のストリップ１００は血糖値だけでなく使用地域を示す。図２はストリップ１００の拡大図を示している。２０１は血糖値測定用の電極であり、血糖測定電極と呼ぶ。２１０は使用地域を示す電極であり、地域提示電極と呼ぶ。地域提示電極２１０には共通端子２１１と、各地域に対応した地域端子が設けられている。本実施の形態において、地域をＥＵ（ヨーロッパ）、ＵＳ（アメリカ）、ＪＰ（日本）の３カ国とすると、地域提示電極２１０にはＥＵ端子２１２、ＵＳ端子２１３、そしてＪＰ端子２１４が地域端子として設けられている。地域の選択は対象となる地域端子を共通端子２１１に短絡することで行う。図２においては、共通端子２１１とＥＵ端子２１２を短絡パターン２１５で短絡することで、ＥＵの地域であることを示している。
【００１５】
また、図１において、血糖値測定器１１０とデータ管理装置１２０間で無線通信する為には、地域で利用可能な周波数帯域を選択する必要がある。本実施の形態では、ＩＳＭバンドから地域で利用可能な周波数帯域を用いて無線通信を行うこととする。
【００１６】
以下に、血糖値管理システムの動作を説明する。図１において、使用者はストリップ１００を挿入部１１１に挿入し、血液をストリップ１００の先端に点着させる。血液は毛細管現象によりストリップ１００内に形成された流路を移動し、専用の酵素と反応すると、血糖値によって電気抵抗が変化する。血糖測定部１１３は血糖測定電極２０１に電圧を印加し血液に流れる電流を電圧に変換する。血糖測定器演算処理部１１６は内部に設けられたＡ/Ｄ変換器を用いてアナログ−デジタル変換を行う。
【００１７】
血糖測定器演算処理部１１６はＡ/Ｄ変換で得られた電圧から血液の抵抗値を解析して血糖値データを算出する。そして、血糖測定器演算処理部１１６は血糖値データを血糖測定器メモリ１１４に保存すると共に、血糖値を表示する為に血糖値データを血糖測定器表示部１１５に設定する。使用者は血糖測定器表示部１１５に表示された血糖値を確認する。次に、血糖測定器演算処理部１１６は地域データ取得部１１２を介して、ストリップ１００の地域データを取得する。
【００１８】
挿入部１１１において、共通端子２１１は電源に接続されており、各地域端子はＰｕｌｌ−Ｄｏｗｎ抵抗を介して接地されている。ストリップ１００を挿入部１１１に挿入すると、共通端子２１１にショートされた地域端子の電圧は電源電圧となり、共通端子２１１に短絡されていない地域端子の電圧は接地電圧となる。各地域端子の電位は地域データ取得部１１２に入力される。
【００１９】
地域データ取得部１１２は、入力された各地域端子の電圧が電源電圧か接地電圧を判断することによって地域データを取得する。取得した地域データを血糖測定器演算処理部１１６へ出力する。本実施の形態１では地域データとしてＥＵを取得する。次に、血糖測定器演算処理部１１６は地域データ取得部１１２が出力する地域データに応じて、血糖測定器送信回路１１７と血糖測定器受信回路１１８のレジスタ設定を変更して、使用する周波数帯域をＥＵのＩＳＭバンド用に変更する。
【００２０】
そして、血糖測定器演算処理部１１６は、血糖測定器メモリ１１４から血糖値データを読み出して、血糖測定器送信回路１１７のレジスタに設定する。血糖測定器送信回路１１７は血糖値データを変調して変調血糖信号を作成する。この変調血糖信号はＥＵのＩＳＭバンドで送信できる形式の信号である。血糖測定器送信回路１１７は血糖測定器アンテナ１１９を介して変調血糖信号を乗せた無線電波１４０を出力する。無線電波１４０を出力した後、血糖測定器演算処理部１１６はデータ管理装置１２０からの応答を待つために、血糖測定器受信回路１１８からの割り込みを待機する。
【００２１】
データ管理装置１２０は、血糖測定器１１０からの無線電波１４０を受信する必要がある。しかし、周波数帯域が未知であるので、データ管理装置演算処理部１２４は受信する周波数帯域を時分割で変更しながら、変調血糖信号の受信を待機している。ここでは、周波数帯域をＥＵ、ＵＳそしてＪＰそれぞれのＩＳＭバンドを巡回するように周波数を変更する。また、受信する周波数帯域の変更は、データ管理装置演算処理部１２４がデータ管理装置受信回路１２２のレジスタ設定を変更することで行われる。
【００２２】
データ管理装置アンテナ１２１が変調血糖信号を乗せた無線電波１４０を受信すると、データ管理装置受信回路１２２は変調血糖信号から血糖値データを復調する。データ管理装置受信回路１２２において復調できるのは、受信した変調血糖信号の周波数帯域とデータ管理装置受信回路１２２に設定された周波数帯域が合致しているときに受信した場合のみである。データ管理装置受信回路１２２がＥＵのＩＳＭバンドに設定されている状態で、変調血糖信号を受信すると、データ管理装置受信回路１２２は変調血糖信号から血糖値データを復調する。データ管理装置受信回路１２２は血糖値データを内部のレジスタに記憶すると、データ管理装置演算処理部１２４に対して割り込みを出力する。
【００２３】
データ管理装置演算処理部１２４は割り込みに応じて、データ管理装置受信回路１２２のレジスタから血糖値データを読み出す。データ管理装置演算処理部１２４は血糖値を表示する為に血糖値データをデータ管理装置表示部１２５に設定する。使用者が血糖値を確認して血糖値データの保存を指示した場合には、データ管理装置演算処理部１２４はデータ管理装置メモリ１２６に血糖値データを保存する。
【００２４】
次に、データ管理装置１２０が血糖値データを正常に受信した旨を血糖測定器１１０に伝える。データ管理装置演算処理部１２４はデータ管理装置送信回路１２３のレジスタ設定を変更して、周波数帯域を受信に成功したＥＵのＩＳＭバンドに設定する。データ管理装置演算処理部１２４はＡＣＫ（Ａｃｋｎｏｗｌｅｄｇｍｅｎｔ）を応答データとして生成し、データ管理装置送信回路１２３のレジスタに設定する。
【００２５】
無線電波１４０が混信等によりデータ化けが発生し正常に受信できなかった場合には、ＮＡＫ（Ｎｅｇａｔｉｖｅ  Ａｃｋｎｏｗｌｅｄｇｍｅｎｔ）を応答データとして生成する。データ管理装置送信回路１２３は応答データを変調して変調応答信号を作成する。この変調応答信号はＥＵのＩＳＭバンドで送信できる形式の信号である。データ管理装置送信回路１２３はデータ管理装置アンテナ１２１を介して変調応答信号を乗せた無線電波１４０を出力する。
【００２６】
血糖測定器１１０において、血糖測定器演算処理部１１６はＥＵのＩＳＭバンドで受信を待機している。血糖測定器アンテナ１１９が変調応答信号を乗せた無線電波１４０を受信すると、血糖測定器受信回路１１８は変調応答信号から応答データを復調する。血糖測定器受信回路１１８は応答データを内部のレジスタに記憶すると、血糖測定器演算処理部１１６に対して割り込みを出力する。血糖測定器演算処理部１１６は割り込みに応じて、血糖測定器受信回路１１８のレジスタから応答データを読み出す。応答データがＮＡＫまたはタイムアウトの場合、血糖測定器演算処理部１１６は血糖測定器メモリ１１４から血糖値データを読み出して、血糖測定器送信回路１１７のレジスタに設定し、再度血糖値データを送信する。応答データがＡＣＫの場合、血糖測定器演算処理部１１６は正常に終了したと判断して処理を終了する。
【００２７】
以上のように、ストリップ１００に作成した地域提示電極２１０のパターンによって、血糖測定器１１０は測定した血糖値データを地域データに応じた周波数帯域を使用して送信する。データ管理装置１２０は周波数帯域を時分割で切り替えながら受信を待つ。送信側と受信側の周波数帯域が合致した時、データ管理装置１２０は血糖測定器１１０からの血糖値データを受信する。これにより、地域に適した周波数帯域で無線通信を行うことができる。
【００２８】
次に、図３から図５を用いて、血糖値管理システムの処理フロー及び通信プロトコルを説明する。図３は、血糖測定器１１０が測定した血糖値データをデータ管理装置１２０に送信する処理のフローチャートを示す。図４は、データ管理装置１２０が血糖測定器１１０から血糖データを受信する処理のフローチャートを示す。図５は、血糖測定器１１０とデータ管理装置１２０間の通信プロトコルを説明する図である。
【００２９】
まず、図３を用いて血糖測定器１１０の処理フローを説明する。使用者がストリップ１００を挿入部１１１に挿入し、血液をストリップ１００の先端に点着する、血糖測定器演算処理部１１６は血糖測定部１１３の電圧から血糖値データを算出する。そして、血糖測定器演算処理部１１６は血糖値データを血糖測定器メモリ１１４に記憶する（ステップＳ３０１）。
【００３０】
血糖測定器演算処理部１１６は地域データ取得部１１２のデジタル信号から地域データを取得する。ここで、地域データはＥＵである（ステップＳ３０２）。血糖測定器演算処理部１１６は取得した地域データに基づいて血糖測定器送信回路１１７及び血糖測定器受信回路１１８のレジスタ設定を変更し、ＥＵのＩＳＭバンドで送受信できるように設定する（ステップＳ３０３）。
【００３１】
血糖測定器演算処理部１１６は血糖測定器メモリ１１４から血糖値データを読み出し、血糖測定器送信回路１１７のレジスタに設定する。血糖測定器送信回路１１７は血糖値データを変調血糖信号に変調してＥＵのＩＳＭバンドで送信する。ここで、血糖測定器演算処理部１１６は、血糖値データを連続して複数回送信する。例えば、３４ミリ秒間隔で１２回血糖値データを送信し、送信する期間は約４秒間となる（ステップＳ３０４）。
【００３２】
血糖測定器演算処理部１１６はデータ管理装置１２０からの応答を待つために、血糖測定器受信回路１１８からの割り込みを待機する。ここで、データ管理装置１２０は血糖測定器１１０から正常に血糖値データを受信すると４．５秒後に応答データを送信する。そこで、血糖測定器演算処理部１１６はステップＳ３０４にてデータを送信した後、６秒間割り込みを待機する。そして、応答データを受信すると、血糖測定器受信回路１１８は血糖測定器演算処理部１１６に割り込みを出力し、血糖測定器演算処理部１１６は割り込みに応じて、血糖測定器受信回路１１８のレジスタから応答データを読み出す（ステップＳ３０５）。
【００３３】
ステップＳ３０５における受信データがＡＣＫであった場合、血糖測定器演算処理部１１６は測定を終了する。また、ＮＡＫもしくはタイムアウトの場合、ステップＳ３０７へ遷移する。ここで、タイムアウトとはステップＳ３０５で６秒間の割り込み待機期間で割り込みが発生しないことを言う。
【００３４】
ステップＳ３０４からステップＳ３０６までの処理を所定回数実行した場合、血糖測定器演算処理部１１６は血糖測定器表示部１１５にエラーを表示して測定を終了する。また、所定回数実行していない場合、ステップＳ３０４に遷移する。ここで、所定回数を１２回とする（ステップＳ３０７）。
【００３５】
以上、血糖測定器１１０における処理のフローを説明した。次に、図４を用いてデータ管理装置１２０における処理のフローを説明する。まず、データ管理装置１２０の電源を投入すると、データ管理装置演算処理部１２４はデータ管理装置受信回路１２２のレジスタ設定を変更して、現在受信している周波数帯域を次の地域の周波数帯域に変更する。ここで、周波数帯域としてＥＵ、ＵＳそしてＪＰのＩＳＭバンドを巡回させながら設定する（ステップＳ４０１）。
【００３６】
データ管理装置演算処理部１２４は所定時間、データ管理装置受信回路１２２からの割り込みを待機する。ここで、データ管理装置演算処理部１２４は１００ミリ秒の間割り込みを待機する。ステップＳ３０３で設定した周波数帯域とステップＳ４０１で設定した周波数帯域が合致している状態で、データ管理装置受信回路１２２が変調血糖信号を受信すると、データ管理装置受信回路１２２は変調血糖信号を復調した血糖値データを内部のレジスタに記憶して、割り込みを出力する。データ管理装置演算処理部１２４は割り込みに応じてデータ管理装置受信回路１２２のレジスタから血糖値データを読み出す（ステップＳ４０２）。
【００３７】
ステップＳ４０２において、血糖値データを受信できなかった場合、所定時間スリープしてステップＳ４０１に遷移する。ここで、所定時間は血糖測定器１１０が血糖データを送信する約４秒間にＥＵ、ＵＳそしてＪＰのＩＳＭバンドを変更する必要がある為、スリープ時間は１秒とする。また、ここではスリープすることによって、データ管理装置１２０における消費電力の削減を行う（ステップＳ４０３）。
【００３８】
ステップＳ４０２において、血糖値データを受信した場合、データ管理装置演算処理部１２４は、血糖値を表示する為に血糖値データをデータ管理装置表示部１２５に設定する（ステップＳ４０４）。
【００３９】
データ管理装置演算処理部１２４はデータ管理装置送信回路１２３のレジスタ設定を変更して、周波数帯域を受信に成功したＥＵのＩＳＭバンドに設定する（ステップＳ４０５）。
【００４０】
データ管理装置演算処理部１２４は血糖値データを受信してから４．５秒後にＡＣＫを応答データとしてデータ管理装置送信回路１２３のレジスタに設定し、血糖測定器１１０に送信する（ステップＳ４０６）。
【００４１】
使用者が血糖値を確認して血糖値データの保存を指示した場合には、データ管理装置演算処理部１２４はデータ管理装置メモリ１２６に血糖値データを保存する（ステップＳ４０７）。
【００４２】
以上、データ管理装置１２０における処理のフローを説明した。次に、図５を用いて血糖測定器１１０とデータ管理装置１２０間の通信プロトコルを説明する。図５において、５００は血糖測定器１１０の時間軸を示す血糖測定器時間軸である。５０４は測定した血糖値データを血糖測定器１１０が送信する期間を示す血糖値送信期間である。５０５はデータ管理装置１２０からの応答データを受信する期間を示す応答データ受信期間である。５１０はデータ管理装置１２０の時間軸を示すデータ管理装置時間軸である。
【００４３】
５１１はＥＵのＩＳＭバンドで受信を行う期間を示すＥＵ帯受信期間である。５１２はＵＳのＩＳＭバンドで受信を行う期間を示すＵＳ帯受信期間である。５１３はＪＰのＩＳＭバンドで受信を行う期間を示すＪＰ帯受信期間である。５１４は応答データを返す為のウェイトの期間を示すウェイト期間である。５１５は応答データを送信する期間を示す応答データ送信期間である。５１６は血糖測定器１１０からの血糖値データをデータ管理装置１２０が受信に成功した期間を示す血糖値受信期間である。また、空白期間においては血糖測定器１１０及びデータ管理装置１２０は消費電力低減の為、スリープ状態となっている。
【００４４】
図５において、データ管理装置１２０はＥＵ帯受信期間５１１、ＵＳ帯受信期間５１２、そして、ＪＰ帯受信期間５１３を巡回させながら、それぞれの周波数帯域で受信待ちとなる。ここで、各受信期間では１００ミリ秒間受信待ちとなり、１秒間スリープした後、次の周波数帯域で受信を待つ。
【００４５】
血糖測定器１１０が血糖値データをＥＵのＩＳＭバンドで送信する場合、血糖値送信期間５０４において、血糖測定器１１０は血糖値データを３４ミリ秒間隔で１２回送信する。図５において、５２１は血糖測定器１１０からデータ管理装置１２０へ送信された血糖値データを示す。
【００４６】
血糖値送信期間５０４にデータ管理装置１２０のＥＵ帯受信期間５１１が合致した期間、つまり、血糖値受信期間５１６において、データ管理装置１２０は血糖測定器１１０から血糖値データを受信する。データ管理装置１２０はウェイト期間５１４において４．５秒間ウェイトした後、応答データ送信期間５１５において応答データとしてＡＣＫを血糖測定器１１０に送信する。図５において、５２２はデータ管理装置１２０から血糖測定器１１０への応答データを示す。データ管理装置１２０は応答データを送信した後、再度３つの周波数帯域を巡回させながら受信待ちとなる。
【００４７】
また、血糖測定器１１０は血糖値送信期間５０４終了後、応答データ受信期間５０５において、データ管理装置１２０からの応答データの受信を６秒間待つ。応答データ受信期間５０５において、血糖測定器１１０が応答データを受信すると、応答データを解析し、ＡＣＫであれば通信を終了し、ＮＡＫもしくはタイムアウトであれば、再度血糖値データを送信する。血糖値データの再送信は１１回まで行う。
【００４８】
以上、本発明における血糖値管理システムにおける血糖測定器１１０とデータ管理装置１２０の処理のフローと、通信プロトコルを示した。
【００４９】
以上の血糖値管理システムにおいては、血糖測定器１１０からの送信される４秒間の血糖値データを受信する為に、データ管理装置１２０は３つの周波数帯域を巡回させて受信待ちとなる。つまり、４秒間に少なくとも３回はいずれかの周波数帯域で受信待ちとなる必要がある。そこで、図１に示す通り、データ管理装置１２０に同期ボタン１２７を追加する。同期ボタン１２７を備えたデータ管理装置１２０は通常、最後に血糖測定器１１０との通信に成功した周波数帯域で受信待ちをする。ここで、血糖測定器１１０からの送信される２秒間の血糖値データを受信する為には、４秒間に１回以上受信待ちとなれば良い。使用者が同期ボタン１２７を押すと２秒間に３つの周波数帯域を巡回させて受信待ちとなる。そして、受信が成功すると、３つの周波数帯域の巡回を停止し、通信が成功した周波数帯域のみで４秒間に１度の受信待ちを行う。これにより、同期が必要な時のみ３つの周波数帯域の巡回を行って受信待ちとなることによって、受信待ちによる消費電力を３分の１に低減することができる。
【００５０】
また、以上のように、血糖測定器１１０がストリップ１００における使用地域を示す電気パラメータから地域データを得る以外にも、血糖測定器１１０が自ら地域データを認識しても良い。これによると、地域を示す電気パラメータを持たないストリップ１００を用いた場合にも、地域に適した周波数帯域で無線通信を行うことができる。
【００５１】
血糖測定器１１０が自ら地域データを認識する一つの方法として、地域データ取得部１１２にＧＰＳ（Ｇｌｏｂａｌ  Ｐｏｓｉｔｉｏｎｉｎｇ  Ｓｙｓｔｅｍ）の受信機を内蔵する方法がある。全てのＧＰＳ衛星は１５７５．４２ＭＨｚの周波数帯域を用いて同期した電波を送信している為、地域データ取得部１１２のＧＰＳ受信機は複数のＧＰＳ衛星からの電波間の伝播遅延から現在の位置を算出する。そして、現時の位置を特定することによって、ＥＵ、ＵＳ、ＪＰのいずれの地域であるかを判断し、地域データを得る。
【００５２】
血糖測定器１１０が自ら地域データを取得するもう一つの方法として、無線の基地局からの電波を基に地域データを得る方法がある。無線の基地局は各地域に特有の周波数帯域、もしくは地域に特有の情報を提供するものであれば良い。例えば、地域データ取得手段１１２に電波時計の受信機を内蔵する。
【００５３】
電波時計は基地局が既知の周波数帯域に地域特有の時間を情報として提供するものである。電波時計で用いられる周波数帯域は、ＥＵで６０／７７．５ＫＨｚ、ＵＳで６０ＫＨｚ、ＪＰで４０ＫＨｚ／６０ＫＨｚである。従って、地域データ取得部１１２は受信する周波数帯域を４０／６０／７７．５ＫＨｚで変更しながら、地域の時間を取得する。地域データ取得部１１２には世界標準時間やＵＳの地方標準時間など、基準となる地域と時間を予め設定しておき、電波時計の受信機で取得した時間と基準となる時間の差から地域を特定する。そして、特定した地域を地域データとして認識する。同様に、携帯電話、ラジオ、テレビ等の無線の基地局を用いて地域データを得ることもできる。
【００５４】
以上のように、本発明の実施の形態１においては、ストリップ１００に持たせた地域を示す電気パラメータを血糖測定器１１０が認識し、血糖測定器１１０が地域で利用できる周波数帯域でデータ管理装置１２０に血糖値データを送信する。データ管理装置１２０は周期的に周波数帯域を変更して受信することによって、自動的に血糖測定器１１０とデータ管理装置１２０が地域に適した周波数帯域で無線通信を行うことができる。それにより使用者は地域毎のストリップを使い分けるだけで良くなる。
【００５５】
さらに、データ管理装置１２０に同期スイッチ１２７を備え、血糖測定器１１０とデータ管理装置１２０との同期が必要な時のみ、同期スイッチ１２７を押して周期的に受信する周波数帯域を変更しながら受信することにより、データ管理装置１２０の受信待ちによる消費電力の削減を行うことができる。
【００５６】
また、ＧＰＳ受信機や電波時計受信機等、地域データを取得できる機能を地域データ取得部１１２に搭載することにより、地域を示す電気パラメータを持たないストリッ１００を用いた場合においても地域に適した周波数帯域で無線通信を行うことができる。
【産業上の利用可能性】
【００５７】
本発明にかかる、血糖値管理システム及び血糖値管理方法は、血糖測定器とデータ管理装置が地域に適した周波数帯域で無線通信を行うことができる効果を有し、使用者が地域を移動しながら使用する血糖値管理システム等の用途に適用できる。
【図面の簡単な説明】
【００５８】
【図１】本発明の実施の形態１における血糖値管理システムの構成図
【図２】ストリップの構成図
【図３】血糖測定器の処理のフローチャート
【図４】データ管理装置の処理のフローチャート
【図５】血糖値管理システムの通信プロトコルの説明図
【図６】従来の血糖値管理システムの構成図
【符号の説明】
【００５９】
１００  ストリップ
１１０  血糖測定器
１１１  挿入部
１１２  地域データ取得部
１１３  血糖測定部
１１４  血糖測定器メモリ
１１５  血糖測定器表示部
１１６  血糖測定器演算処理部
１１７  血糖測定器送信回路
１１８  血糖測定器受信回路
１１９  血糖測定器アンテナ
１２０  データ管理装置
１２１  データ管理装置アンテナ
１２２  データ管理装置受信回路
１２３  データ管理装置送信回路
１２４  データ管理装置演算処理部
１２５  データ管理装置表示部
１２６  データ管理装置メモリ
１２７  同期ボタン
１４０  無線電波
２０１  血糖測定電極
２１０  地域提示電極
２１１  共通端子
２１２  ＥＵ端子
２１３  ＵＳ端子
２１４  ＪＰ端子
２１５  短絡パターン
５００  血糖測定器時間軸
５０１  測定期間
５０４  血糖値送信期間
５０５  応答データ受信期間
５１０  データ管理装置時間軸
５１１  ＥＵ帯受信期間
５１２  ＵＳ帯受信期間
５１３  ＪＰ帯受信期間
５１４  ウェイト期間
５１５  応答データ送信期間
５１６  血糖値受信期間
６００  血糖測定器
６０１  ストリップ
６０２  血糖測定器表示部
６０３  無線電波
６０４  データ管理装置
【図１】
2009162676.tif 000003
【図２】
2009162676.tif 000004
【図３】
2009162676.tif 000005
【図４】
2009162676.tif 000006
【図５】
2009162676.tif 000007
【図６】
2009162676.tif 000008